(57)【要約】【課題】本願発明は、安全確保機能に優れ、しかも経済的にも有利な幅木及び幅木の設置構造を提案する。【解決手段】所定長さの帯板材をその帯長方向に折曲してなる幅木において、少なくとも帯幅方向の一方の端縁側と他方の端縁側がそれぞれ帯長方向に延びる平面部とされるとともに、これら該両平面部が板厚方向に所定間隔をもって平行に延出するように構成する。係る構成によれば、該幅木はその構造が極めて簡単であり、これをより安価に提供できる。【選択図】図２
2020026726.tif 000002
【特許請求の範囲】
【請求項１】
所定長さの帯板材をその帯長方向に折曲してなる幅木であって、
少なくとも帯幅方向の一方の端縁側と他方の端縁側がそれぞれ帯長方向に延びる平面部とされるとともに、これら該両平面部が板厚方向に所定間隔をもって平行に延出する構成であることを特徴とする幅木。
【請求項２】
請求項１において、
上記両平面部の中間部分が、該両平面部間の高低差の範囲内において上記一方の平面部側から他方の平面部側に膨出して帯長方向に延設された凸条部、または他方の平面部から一方の平面部側へ膨出して帯長方向に延設された凹条部とされていることを特徴とする幅木。
【請求項３】
請求項１又は２に記載の幅木を足場上に設置するための設置構造であって、
所定間隔で複数の支柱を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材間に布板を配置してその各端部の左右両側に設けた掛止フックをそれぞれ上記つなぎ材に掛止させて成る足場において、
上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させ、この状態で、上記支柱に取付けたクランプによって上記一方の平面部を該支柱に引き付けて固定することを特徴とする幅木の設置構造。
【請求項４】
請求項３において、
上記幅木が請求項２に記載の幅木である場合にあっては、上記凹条部を上記支柱に当接又は近接対向させることを特徴とする幅木の設置構造。
【発明の詳細な説明】
【技術分野】
【０００１】  本願発明は、仮設足場に設置される幅木及び該幅木の設置構造に関するものである。
【背景技術】
【０００２】  土木・建築の工事現場において設置される架設足場においては、布板等の作業床からの人とか作業工具等の落下防止を図るべく、該布板の縁部に幅木を設けることが法定されており、これに応えるものとして従来から種々構造の幅木及びその設置構造が提案されている（例えば、特許文献１〜３参照）。【０００３】  特許文献１に示されるものは、木製の幅木を用いるもので、支柱の前面に当接状態で立てて配置した幅木の下端縁を、前後の支柱間に配置されたつなぎ材上に載置するとともに、該幅木の上端縁側を、上記支柱に取付けたフック状の保持手段によって固定するようにしている。この場合、隣接する横材間に跨って掛止された布板及びその掛止フックは上記幅木よりも足場面中心寄りに位置しており、上記幅木とは非連係とされている。【０００４】  特許文献２に示されるものは、帯板材で構成される幅木を用いたもので、該幅木の長さを隣接する一対の支柱間の間隔（スパーン）に対応させるとともに、その長手方向の左右両端部にそれぞれ弾発タイプのブラケットを取り付けてある。そして、上記幅木の下端縁を布板の上面に乗せた状態で、該幅木を上記左右のブラケットによって隣接する支柱に固定するようになっている。【０００５】  特許文献４に示されるものは、略Ｌ形の断面形状をもつ屈曲板状の幅木を用いたもので、該幅木の長さを隣接する一対の支柱の間隔寸法に対応させて設定している。そして、この幅木を、上記一対の支柱間に跨って配置し、その下端側の平面部と布板の縁部に乗せてこれを支持させるとともに、他方の縁部は上記支柱に接触させた状態で、該支柱側に設けた取付金具にロックピンによって固定するようにしている。
【先行技術文献】
【特許文献】
【０００６】
【特許文献１】特開２０１０−２７５８０９号公報
【特許文献２】特開２００３−２１３９２７号公報
【特許文献２】特開２００４−６０１６７号公報
【発明の概要】
【発明が解決しようとする課題】
【０００７】  ところが、これら各特許文献に示されるものにおいては、以下のような問題がある。【０００８】  特許文献１に示されるものでは、幅木を足場のつなぎ材上に載置する構成であることから、該つなぎ材に掛止された布板のフックを避ける必要があり、そのため該幅木と上記布板の間に該幅木の長さ方向に延びる隙間が必然的に生じ、例えばこの隙間の幅を法定寸法内に維持することが難しい場合もあり、安全確保上、万全とは言い難いものである。【０００８】  特許文献２に示されるものでは、幅木の両端をブラケットによって支柱に固定する構成であることから、該幅木はその長さ寸法が上記支柱のスパーン、あるいは上記布板の長さ寸法に対応して決定されるので、例えば、幅木として、布板の長さに対応する毎に複数種類用意する必要があり、不経済である。【０００９】  また、この幅木は、その下端を布板の上面に預けた状態で設置されることから、該幅木の下端と布板のフックとの干渉を避ける必要があり、そのため布板の両端部の下端側には切欠きが設けられていることから、この切欠き部分においては下方に臨む開口が生じ、この部分からの作業工具の小物類が落下するおそれがあり、安全確保上、万全とは言い難いものである。【００１０】  さらに、上記幅木が上記布板のフックとの干渉を避けるようにしていることから、該幅木は上記布板の幅方向（つなぎ材の長手方向）への移動を規制する機能をもたず、場合によっては上記布板が幅方向に位置ズレし、該布板の長辺側の縁部と上記幅木との間に法定寸法以上の隙間ができることも考えられ、安全性確保の観点から好ましくない。【００１１】  特許文献３に示されるものでは、幅木の両端を支柱に設けた取付金具とここに取付けられるロックピンによって固定する構成であることから、該幅木はその長さ寸法が上記支柱のスパーン、あるいは上記布板の長さ寸法に対応して決定されるので、例えば、幅木として、布板の長さに対応する毎に複数種類用意する必要があり、不経済である。【００１２】  また、この幅木は、Ｌ形に折曲形成された平板状の下端部を布板の上面に預けた状態で設置されることから、該幅木の下端部と布板のフックとの干渉を避ける必要があり、そのため布板の両端部には切欠きが設けられており、この切欠き部分においては下方に臨む開口が生じ、この部分からの作業工具の小物類が落下するおそれがあり、安全確保上、万全とは言い難いものである。【００１３】  さらに、上記幅木が上記布板のフックとの干渉を避けるようにしていることから、該幅木は上記布板の幅方向（つなぎ材の長手方向）への移動を規制する機能をもたず、場合によっては上記布板が幅方向に位置ズレし、該布板の長辺側の縁部と上記幅木との間に法定寸法以上の隙間ができることも考えられ、安全性確保の観点から好ましくない。【００１４】  そこで本願発明は、安全確保機能に優れ、しかも経済的にも有利な幅木及び幅木の設置構造を提案することを目的としてなされたものである。
【課題を解決するための手段】
【００１５】  本願の第１の発明は、所定長さの帯板材をその帯長方向に折曲してなる幅木において、少なくとも帯幅方向の一方の端縁側と他方の端縁側がそれぞれ帯長方向に延びる平面部とされるとともに、これら該両平面部が板厚方向に所定間隔をもって平行に延出するように構成したことを特徴としている。【００１６】  本願の第２の発明では、上記第１の発明において、上記両平面部の中間部分を、該両平面部間の高低差の範囲内において上記一方の平面部側から他方の平面部側に膨出して帯長方向に延設された凸条部、または他方の平面部から一方の平面部側へ膨出して帯長方向に延設された凹条部としたことを特徴としている。【００１７】  本願の第３の発明では、請求項１又は２に記載の幅木を足場上に設置するための設置構造であって、所定間隔で複数の支柱を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材３間に布板を配置してその各端部の左右両側に設けた掛止フックをそれぞれ上記つなぎ材に掛止させて成る足場において、上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させ、この状態で、上記支柱に取付けたクランプによって上記一方の平面部を該支柱に引き付けて固定することを特徴としている。【００１８】  本願の第４の発明では、上記第３の発明において、上記幅木が請求項２に記載の幅木である場合にあっては、上記凹条部を上記支柱に当接又は近接対向させることを特徴としている。
【発明の効果】
【００１９】  （ａ）    本願の第１の発明では、所定長さの帯板材をその帯長方向に折曲してなる幅木において、少なくとの帯幅方向の一方の端縁側と他方の端縁側がそれぞれ帯長方向に延びる平面部とされるとともに、これら該両平面部が板厚方向に所定間隔をもって平行に延出するように構成したので、該幅木はその構造が極めて簡単であり、これをより安価に提供できる。【００２０】  （ｂ）    本願の第２の発明では、上記（ａ）に記載の効果に加えて、以下のような特有の効果が得られる。即ち、この発明では、上記両平面部の中間部分を、該両平面部間の高低差の範囲内において上記一方の平面部側から他方の平面部側に膨出して帯長方向に延設された凸条部または他方の平面部から一方の平面部側へ膨出して帯長方向に延設された凹条部としたので、該凸条部と凹条部によって上記幅木の板厚方向における曲げ剛性が高められ、該幅木を仮設足場に設置した場合における強度性能が高く、それだけ該幅木を備えたことによる仮設足場の安全性が向上する。【００２１】  （ｃ）本願の第３の発明では、上記第１の発明又は第２の発明に係る幅木を足場上に設置するための設置構造であって、所定間隔で複数の支柱２を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材間に布板を配置してその各端部の左右両側に設けた掛止フックをそれぞれ上記つなぎ材に掛止させて成る足場において、上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させ、この状態で、上記支柱に取付けたクランプによって上記一方の平面部を該支柱に引き付けて固定するようにしている。【００２２】  したがって、
（ｃ−１）    上記幅木を、上記一方の支柱群の少なくとも隣接する２本の支柱にまたがって配置し、上記支柱に取付けたクランプによって上記一方の平面部を該支柱に引き付けて固定する構成であることから（即ち、各支柱の位置において、ここに対応している上記幅木の対応部位を上記支柱に取付けたクランプによって固定すれば良いことから）、上記幅木の長さ寸法は上記支柱群の各支柱の間隔（スパーン）に制約されることなく設定することができ、その汎用性が高められ、より少ない種類（長さ）の幅木を用意しておけば足り、例えば、従来のように一対の支柱の間隔、即ち、布板の長さ寸法に対応させる必要がなく、それだけ経済性が向上し、延いてはより安価に幅木を提供できる、
（ｃ−２）    上記幅木の上記他方の平面部はこれを上記布板の上記掛止フックよりも布板中心寄りに位置させた状態で、その端面を上記布板の上面に載置又は近接対向させるようにしていることから、上記掛止フックの存在によって上記幅木の設置が制約されることが無く、したがって、例えば、上記支柱に対応する部分においても従来のように上記幅木の一部を切り欠く必要が無く、この結果、上記布板の端縁と上記幅木との間に隙間が生じず、上記幅木による落下防止効果が格段に向上する、
（ｃ−３）    上記幅木の上記他方の平面部はこれを上記布板の上記掛止フックよりも布板中心寄りに位置させたことから、該他方の平面部は、上記布板の掛止フックが布板中心寄りに移動するのを規制するごとく機能し、これによって上記布板と幅木の間に隙間が生じるのが未然に防止され、延いては上記幅木による落下防止効果がさらに向上する、
等の効果が得られる。【００２３】  （ｄ）本願の第４の発明では、上記（ｃ）に記載の効果に加えて、以下のような特有の効果が得られる。即ち、この発明では、上記幅木が本願の第２の発明に係る幅木である場合にあっては、上記凹条部を上記支柱に当接又は近接対向させるようにしているので、該幅木の板厚方向への撓み変形が可及的に抑制され、該幅木がより安定的に設置方向状態されることになり、延いては、上記幅木による落下防止効果がさらに向上する。
【図面の簡単な説明】
【００２４】
【図１】  本願発明の実施形態に係る幅木の全体斜視図である。
【図２】  図１に示した幅木を仮設足場に設置した状態を示す側面図である。
【図３】  図２のＡ−Ａ矢視図である。
【発明を実施するための形態】
【００２５】  以下、本願発明を好適な状態に基づいて具体的に説明する。
【００２６】「幅木１の構造」
図１には、本願発明の実施形態に係る幅木１を示している。この幅木１は、所定長さの薄い金属帯板（例えば、高張力鋼薄板）を、その帯長方向に折曲して構成されるものであって、この実施形態では後述するように、帯板を帯幅方向の６位置で表裏両側へ交互に折曲し、帯幅方向の一方の縁部１ａ寄りに位置する第１平面部１１と、帯幅方向の他方の縁部１ｂ寄りに位置する第２平面部１２を設けるとともに、これら第１平面部１１と第２平面部１２の間の中間部分には、上記第１平面部１１側から上記第２平面部１２側へ膨出する略台形状断面もつ凸条部１３と、上記第２平面部１２側から上記第１平面部１１側へ膨出する略台形状断面もつ凹条部１４を連設している。
【００２７】  このように上記凸条部１３と凹条部１４を設けた結果、上記第１平面部１１と第２平面部１２は、板厚方向に所定間隔をもって平行に延設される。ここで、この第１平面部１１と第２平面部１２の平行離間寸法は、後述のように上記幅木１の設置状態においてその内側に布板５の掛止フック６を位置させるために必要な寸法であって、該布板５の形状寸法とか、該布板５の上記支柱２からの離間距離等を勘案して決定されるものであり、この実施形態では６５ｍｍ程度を想定している。また、この場合、上記凸条部１３の頂面部１３ａは上記第２平面部１２の延長上に、上記凹条部１４の底面部１４ａは上記第１平面部１１の延長上に、それぞれ位置するようにしている。
【００２８】  また、上記幅木１の両端１ｃ、１ｄ寄りの上記凹条部１４の底面部１４ａには、該幅木１の長手方向に長軸をもつ長穴１５がそれぞれ設けられている。この長穴１５は、例えば、複数の幅木１をその端部同士を重ね合わせた状態で連設する場合の重ね合わせ量の調整とか、該幅木１の端部１ｃ、１ｄを策体によって拘引する場合の索掛止部等として利用される。
【００２９】  上記幅木１は、後述のように、その端部を支柱２に直接固定するものではなく、該支柱２の前面に当接あるいは近接対向状態で固定されるものであって、上記支柱２のスパーンによってその長さが制約されるものではなく、任意に設定できるものであり、この実施形態では、４０００ｍｍ、３０００ｍｍ、２０００ｍｍ、１５００ｍｍ、１０００ｍｍの長さを想定している。
【００３０】「幅木１の設置構造」
以下、上記幅木１の仮設足場Ｚへの設置構造を説明する。
【００３１】  上記仮設足場Ｚは、いわゆるクサビ式足場であって、所定スパーンで立設された複数の支柱２を、該支柱２に設けた連結台８部分においてつなぎ材４によって順次連結して支柱群を構成している。このような支柱群を所定間隔で前後に対向配置（一方の支柱群のみ図示し、他方の支柱群の図示は省略）するとともに、一方の支柱群の各支柱２と、他方の支柱群の各支柱２を、上記各支柱２の連結台８部分においてつなぎ材３によって連結して略梯子状形体とする。なお、符号７は、上記支柱２と各つなぎ材３及びつなぎ材４の端部を連結するクサビである。
【００３２】  さらに、隣接する上記各つなぎ材３間に布板５を配置し、その各端部の左右両側にそれぞれ設けた掛止フック６を上記つなぎ材３に掛止させることで固定する。なお、上記つなぎ材３には、その左右両側から上記布板５の掛止フック６がそれぞれ掛止されるが、その場合、これら二つの布板５の各掛止フック６同士の干渉を避けるため、該各布板５を前後方向（上記つなぎ材３の軸方向）に所定量だけ偏移させている。
【００３３】  この仮設足場Ｚの上記支柱２の内側に沿った略鉛直面と上記つなぎ材３の上面に沿った略水平面が交差するコーナ状の仮想領域に上記幅木１が設置される。
【００３４】  即ち、図２及び図３に示すように、上記幅木１を、その第１平面部１１側を上側に、上記第２平面部１２側を下側にした姿勢で、上記仮想領域に配置する。そして、上記第１平面部１１は、上記支柱２に取り付けたクランプ９の掛止杆１０と上記支柱２の間に差し入れてこれを該支柱２の前面に衝合させる。一方、上記第２平面部１２の下端（即ち、上記幅木１の側縁１ｃ）は、該第２平面部１２と上記支柱２との間に、上記つなぎ材３を挟んでその両側に配置された一対の布板５の各掛止フック６を位置させた状態で、上記布板５の側縁上に当接させる。
【００３５】  しかる後、上記支柱２に取付けたクランプ９を回動操作して、上記掛止杆１０によって上記第１平面部１１を上記支柱２側に押圧して固定保持する。なお、上記幅木１としては、上記支柱群の支柱スパーンより大きい長さの幅木１が用いられることから、該幅木１は必ず２本以上の支柱２に対応することになり、これら各支柱２においてそれぞれ上記クランプ９によって固定保持される。
【００３６】  上記幅木１の設置作業は、上記仮設足場Ｚの長さに応じて、複数回繰り返される。即ち、先行して設置された幅木１の端部に、次の幅木１の端部を所定寸法ずつ重ね合わせて設置する作業を、上記仮設足場Ｚの長さに応じた回数だけ繰り返すことで、該仮設足場Ｚ側への上記幅木１の設置作業が完了する。
【００３７】  以上のようにして上記幅木１を上記仮設足場Ｚに設置することで、以下のような特有の作用効果が得られる。
【００３８】（１）上記幅木１を、上記支柱群の少なくとも隣接する２本の支柱にまたがって配置し、上記支柱２に取付けたクランプ９によって該支柱２に引き付けて固定する構成であることから、上記幅木１の長さ寸法は支柱スパーンに制約されることなく設定することができ、より少ない種類（長さ）の幅木１を用意しておけば足り、例えば、従来のように支柱スパーンに対応させる必要がなく、それだけ経済性が向上し、延いてはより安価に幅木１を提供できる．
【００３９】（２）上記幅木１の上記第１平面部１１はこれを上記布板５の掛止フック６よりも布板中心寄りに位置させた状態で、その端面１ｂを上記布板５の上面に載置させるようにしていることから、上記掛止フック６の存在によって上記幅木１の設置が制約されることが無いことから、従来のように、上記支柱２に対応する部分においても上記幅木１の一部を切り欠くような必要が無く、したがって、上記布板５の端縁と上記幅木１との間に隙間が生じず、上記幅木１による落下防止効果が格段に向上する。
【００４０】（３）上記幅木１の上記第２平面部１２は、これを上記布板５の上記掛止フック６よりも布板中心寄りに位置させた（換言すれば、該第２平面部１２と上記支柱２の間に上記掛止フック６を位置させた）ことから、該第２平面部１２によって、上記布板５の掛止フック６が布板中心寄りに移動するのを規制され、その結果、上記布板５と幅木１の間に隙間が生じるのが未然に防止され、延いては上記幅木１による落下防止効果がさらに向上する。
【００４１】  上記幅木１が、上記第１平面部１１と第２平面部１２の間に、凸条部１３と凹条部１４を備え、該凸条部１３を上記支柱１に当接させるようにしているので、該幅木１の板厚方向への撓み変形が可及的に抑制され、該幅木１がより安定的に設置され、延いては、上記幅木１による落下防止効果がさらに向上する。
【産業上の利用可能性】
【００４２】  本願発明に係る幅木及び幅木設置構造は、建築足場分野において広く利用されるものである。
【符号の説明】
【００４３】    １  ・・幅木
２  ・・支柱
３  ・・つなぎ材
４  ・・つなぎ材
５  ・・布板
６  ・・掛止フック
７  ・・クサビ
８  ・・連結台
９  ・・クランプ
１０  ・・掛止杆
１１  ・・第１平面部
１２  ・・第２平面部
１３  ・・凸条部
１４  ・・凹条部
１５  ・・長穴
【図１】
2020026726.tif 000003
【図２】
2020026726.tif 000004
【図３】
2020026726.tif 000005
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
所定長さの帯板材をその帯長方向に折曲してなる幅木であって、
少なくとも帯幅方向の一方の端縁側と他方の端縁側がそれぞれ帯長方向に延びる平面部とされ、且つこれら該両平面部が板厚方向に所定間隔をもって平行に延出するとともに、
上記両平面部の中間部分が、該両平面部間の高低差の範囲内において上記一方の平面部側から他方の平面部側に膨出して帯長方向に延設された凸条部と他方の平面部から一方の平面部側へ膨出して帯長方向に延設された凹条部とされていることを特徴とする幅木。
【請求項２】
請求項１に記載の幅木を足場上に設置するための設置構造であって、
所定間隔で複数の支柱を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材間に布板を配置してその各端部の左右両側に設けた掛止フックをそれぞれ上記つなぎ材に掛止させて成る足場において、
上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させるとともに、上記凹条部を上記支柱に接触又は近接対向させ、この状態で、上記支柱に取付けたクランプによって上記一方の平面部を該支柱に引き付けて固定することを特徴とする幅木の設置構造。
【手続補正２】
【補正対象書類名】明細書
【補正対象項目名】全文
【補正方法】変更
【補正の内容】
【発明の詳細な説明】
【技術分野】
【０００１】  本願発明は、仮設足場に設置される幅木及び該幅木の設置構造に関するものである。
【背景技術】
【０００２】  土木・建築の工事現場において設置される架設足場においては、布板等の作業床からの人とか作業工具等の落下防止を図るべく、該布板の縁部に幅木を設けることが法定されており、これに応えるものとして従来から種々構造の幅木及びその設置構造が提案されている（例えば、特許文献１〜３参照）。【０００３】  特許文献１に示されるものは、木製の幅木を用いるもので、支柱の前面に当接状態で立てて配置した幅木の下端縁を、前後の支柱間に配置されたつなぎ材上に載置するとともに、該幅木の上端縁側を、上記支柱に取付けたフック状の保持手段によって固定するようにしている。この場合、隣接する横材間に跨って掛止された布板及びその掛止フックは上記幅木よりも足場面中心寄りに位置しており、上記幅木とは非連係とされている。【０００４】  特許文献２に示されるものは、帯板材で構成される幅木を用いたもので、該幅木の長さを隣接する一対の支柱間の間隔（スパーン）に対応させるとともに、その長手方向の左右両端部にそれぞれ弾発タイプのブラケットを取り付けてある。そして、上記幅木の下端縁を布板の上面に乗せた状態で、該幅木を上記左右のブラケットによって隣接する支柱に固定するようになっている。【０００５】  特許文献４に示されるものは、略Ｌ形の断面形状をもつ屈曲板状の幅木を用いたもので、該幅木の長さを隣接する一対の支柱の間隔寸法に対応させて設定している。そして、この幅木を、上記一対の支柱間に跨って配置し、その下端側の平面部と布板の縁部に乗せてこれを支持させるとともに、他方の縁部は上記支柱に接触させた状態で、該支柱側に設けた取付金具にロックピンによって固定するようにしている。
【先行技術文献】
【特許文献】
【０００６】
【特許文献１】特開２０１０−２７５８０９号公報
【特許文献２】特開２００３−２１３９２７号公報
【特許文献２】特開２００４−６０１６７号公報
【発明の概要】
【発明が解決しようとする課題】
【０００７】  ところが、これら各特許文献に示されるものにおいては、以下のような問題がある。【０００８】  特許文献１に示されるものでは、幅木を足場のつなぎ材上に載置する構成であることから、該つなぎ材に掛止された布板のフックを避ける必要があり、そのため該幅木と上記布板の間に該幅木の長さ方向に延びる隙間が必然的に生じ、例えばこの隙間の幅を法定寸法内に維持することが難しい場合もあり、安全確保上、万全とは言い難いものである。【０００８】  特許文献２に示されるものでは、幅木の両端をブラケットによって支柱に固定する構成であることから、該幅木はその長さ寸法が上記支柱のスパーン、あるいは上記布板の長さ寸法に対応して決定されるので、例えば、幅木として、布板の長さに対応する毎に複数種類用意する必要があり、不経済である。【０００９】  また、この幅木は、その下端を布板の上面に預けた状態で設置されることから、該幅木の下端と布板のフックとの干渉を避ける必要があり、そのため布板の両端部の下端側には切欠きが設けられていることから、この切欠き部分においては下方に臨む開口が生じ、この部分からの作業工具の小物類が落下するおそれがあり、安全確保上、万全とは言い難いものである。【００１０】  さらに、上記幅木が上記布板のフックとの干渉を避けるようにしていることから、該幅木は上記布板の幅方向（つなぎ材の長手方向）への移動を規制する機能をもたず、場合によっては上記布板が幅方向に位置ズレし、該布板の長辺側の縁部と上記幅木との間に法定寸法以上の隙間ができることも考えられ、安全性確保の観点から好ましくない。【００１１】  特許文献３に示されるものでは、幅木の両端を支柱に設けた取付金具とここに取付けられるロックピンによって固定する構成であることから、該幅木はその長さ寸法が上記支柱のスパーン、あるいは上記布板の長さ寸法に対応して決定されるので、例えば、幅木として、布板の長さに対応する毎に複数種類用意する必要があり、不経済である。【００１２】  また、この幅木は、Ｌ形に折曲形成された平板状の下端部を布板の上面に預けた状態で設置されることから、該幅木の下端部と布板のフックとの干渉を避ける必要があり、そのため布板の両端部には切欠きが設けられており、この切欠き部分においては下方に臨む開口が生じ、この部分からの作業工具の小物類が落下するおそれがあり、安全確保上、万全とは言い難いものである。【００１３】  さらに、上記幅木が上記布板のフックとの干渉を避けるようにしていることから、該幅木は上記布板の幅方向（つなぎ材の長手方向）への移動を規制する機能をもたず、場合によっては上記布板が幅方向に位置ズレし、該布板の長辺側の縁部と上記幅木との間に法定寸法以上の隙間ができることも考えられ、安全性確保の観点から好ましくない。【００１４】  そこで本願発明は、安全確保機能に優れ、しかも経済的にも有利な幅木及び幅木の設置構造を提案することを目的としてなされたものである。
【課題を解決するための手段】
【００１５】  本願の第１の発明は、所定長さの帯板材をその帯長方向に折曲してなる幅木において、少なくとも帯幅方向の一方の端縁側と他方の端縁側がそれぞれ帯長方向に延びる平面部とされ、且つこれら該両平面部が板厚方向に所定間隔をもって平行に延出するとともに、上記両平面部の中間部分を、該両平面部間の高低差の範囲内において上記一方の平面部側から他方の平面部側に膨出して帯長方向に延設された凸条部と他方の平面部から一方の平面部側へ膨出して帯長方向に延設された凹条部としたことを特徴としている。【００１６】  本願の第２の発明では、請求項１に記載の幅木を足場上に設置するための設置構造であって、所定間隔で複数の支柱を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材間に布板を配置してその各端部の左右両側に設けた掛止フックをそれぞれ上記つなぎ材に掛止させて成る足場において、上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させるとともに、上記凹条部を上記支柱に接触又は近接対向させ、この状態で、上記支柱に取付けたクランプによって上記一方の平面部を該支柱に引き付けて固定することを特徴としている。【００１７】  本願の第４の発明では、上記第３の発明において、上記幅木が請求項２に記載の幅木である場合にあっては、上記凹条部を上記支柱に当接又は近接対向させることを特徴としている。
【発明の効果】
【００１８】  （ａ）    本願の第１の発明では、所定長さの帯板材をその帯長方向に折曲してなる幅木において、少なくとの帯幅方向の一方の端縁側と他方の端縁側がそれぞれ帯長方向に延びる平面部とされるとともに、これら該両平面部が板厚方向に所定間隔をもって平行に延出するように構成したので、該幅木はその構造が極めて簡単であり、これをより安価に提供できる。【００１９】さらに、上記両平面部の中間部分を、該両平面部間の高低差の範囲内において上記一方の平面部側から他方の平面部側に膨出して帯長方向に延設された凸条部と他方の平面部から一方の平面部側へ膨出して帯長方向に延設された凹条部としたので、該凸条部と凹条部によって上記幅木の板厚方向における曲げ剛性が高められ、該幅木を仮設足場に設置した場合における強度性能が高く、それだけ該幅木を備えたことによる仮設足場の安全性が向上する。【００２０】（ｂ）本願の第２の発明では、上記第１の発明に係る幅木を足場上に設置するための設置構造であって、所定間隔で複数の支柱を列設してなる前後一対の支柱群を、所定間隔をもって略平行に設置するとともに、一方の支柱群の各支柱とこれに対向する他方の支柱群の各支柱をそれぞれつなぎ材で連結して略梯子状形体とするとともに、隣接するつなぎ材間に布板を配置してその各端部の左右両側に設けた掛止フックをそれぞれ上記つなぎ材に掛止させて成る足場において、上記幅木を、上記一方の支柱群の少なくとも隣接する２本の支柱にまたがって配置し、該幅木の一方の平面部を上記支柱に接触又は近接対向させる一方、他方の平面部はこれを上記布板の上記掛止フックよりも布板中心寄りに位置させた状態でその端面を上記布板の上面に載置又は近接対向させるとともに、上記凹条部を上記支柱に接触又は近接対向させ、この状態で、上記支柱に取付けたクランプによって上記一方の平面部を該支柱に引き付けて固定するようにしている。【００２１】  したがって、
（ｂ−１）    上記幅木を、上記一方の支柱群の少なくとも隣接する２本の支柱にまたがって配置し、上記支柱に取付けたクランプによって上記一方の平面部を該支柱に引き付けて固定する構成であることから（即ち、各支柱の位置において、ここに対応している上記幅木の対応部位を上記支柱に取付けたクランプによって固定すれば良いことから）、上記幅木の長さ寸法は上記支柱群の各支柱の間隔（スパーン）に制約されることなく設定することができ、その汎用性が高められ、より少ない種類（長さ）の幅木を用意しておけば足り、例えば、従来のように一対の支柱の間隔、即ち、布板の長さ寸法に対応させる必要がなく、それだけ経済性が向上し、延いてはより安価に幅木を提供できる、
（ｂ−２）    上記幅木の上記他方の平面部はこれを上記布板の上記掛止フックよりも布板中心寄りに位置させた状態で、その端面を上記布板の上面に載置又は近接対向させるようにしていることから、上記掛止フックの存在によって上記幅木の設置が制約されることが無く、したがって、例えば、上記支柱に対応する部分においても従来のように上記幅木の一部を切り欠く必要が無く、この結果、上記布板の端縁と上記幅木との間に隙間が生じず、上記幅木による落下防止効果が格段に向上する、
（ｂ−３）    上記幅木の上記他方の平面部はこれを上記布板の上記掛止フックよりも布板中心寄りに位置させたことから、該他方の平面部は、上記布板の掛止フックが布板中心寄りに移動するのを規制するごとく機能し、これによって上記布板と幅木の間に隙間が生じるのが未然に防止され、延いては上記幅木による落下防止効果がさらに向上する、
（ｂ−４）    また、上記凹条部を上記支柱に当接又は近接対向させるようにしているので、該幅木の板厚方向への撓み変形が可及的に抑制され、該幅木がより安定的に設置方向状態されることになり、延いては、上記幅木による落下防止効果がさらに向上する、
等の効果が得られる。
【図面の簡単な説明】
【００２２】
【図１】  本願発明の実施形態に係る幅木の全体斜視図である。
【図２】  図１に示した幅木を仮設足場に設置した状態を示す側面図である。
【図３】  図２のＡ−Ａ矢視図である。
【発明を実施するための形態】
【００２３】  以下、本願発明を好適な状態に基づいて具体的に説明する。
【００２４】「幅木１の構造」
図１には、本願発明の実施形態に係る幅木１を示している。この幅木１は、所定長さの薄い金属帯板（例えば、高張力鋼薄板）を、その帯長方向に折曲して構成されるものであって、この実施形態では後述するように、帯板を帯幅方向の６位置で表裏両側へ交互に折曲し、帯幅方向の一方の縁部１ａ寄りに位置する第１平面部１１と、帯幅方向の他方の縁部１ｂ寄りに位置する第２平面部１２を設けるとともに、これら第１平面部１１と第２平面部１２の間の中間部分には、上記第１平面部１１側から上記第２平面部１２側へ膨出する略台形状断面もつ凸条部１３と、上記第２平面部１２側から上記第１平面部１１側へ膨出する略台形状断面もつ凹条部１４を連設している。
【００２５】  このように上記凸条部１３と凹条部１４を設けた結果、上記第１平面部１１と第２平面部１２は、板厚方向に所定間隔をもって平行に延設される。ここで、この第１平面部１１と第２平面部１２の平行離間寸法は、後述のように上記幅木１の設置状態においてその内側に布板５の掛止フック６を位置させるために必要な寸法であって、該布板５の形状寸法とか、該布板５の上記支柱２からの離間距離等を勘案して決定されるものであり、この実施形態では６５ｍｍ程度を想定している。また、この場合、上記凸条部１３の頂面部１３ａは上記第２平面部１２の延長上に、上記凹条部１４の底面部１４ａは上記第１平面部１１の延長上に、それぞれ位置するようにしている。
【００２６】  また、上記幅木１の両端１ｃ、１ｄ寄りの上記凹条部１４の底面部１４ａには、該幅木１の長手方向に長軸をもつ長穴１５がそれぞれ設けられている。この長穴１５は、例えば、複数の幅木１をその端部同士を重ね合わせた状態で連設する場合の重ね合わせ量の調整とか、該幅木１の端部１ｃ、１ｄを策体によって拘引する場合の索掛止部等として利用される。
【００２７】  上記幅木１は、後述のように、その端部を支柱２に直接固定するものではなく、該支柱２の前面に当接あるいは近接対向状態で固定されるものであって、上記支柱２のスパーンによってその長さが制約されるものではなく、任意に設定できるものであり、この実施形態では、４０００ｍｍ、３０００ｍｍ、２０００ｍｍ、１５００ｍｍ、１０００ｍｍの長さを想定している。
【００２８】「幅木１の設置構造」
以下、上記幅木１の仮設足場Ｚへの設置構造を説明する。
【００２９】  上記仮設足場Ｚは、いわゆるクサビ式足場であって、所定スパーンで立設された複数の支柱２を、該支柱２に設けた連結台８部分においてつなぎ材４によって順次連結して支柱群を構成している。このような支柱群を所定間隔で前後に対向配置（一方の支柱群のみ図示し、他方の支柱群の図示は省略）するとともに、一方の支柱群の各支柱２と、他方の支柱群の各支柱２を、上記各支柱２の連結台８部分においてつなぎ材３によって連結して略梯子状形体とする。なお、符号７は、上記支柱２と各つなぎ材３及びつなぎ材４の端部を連結するクサビである。
【００３０】  さらに、隣接する上記各つなぎ材３間に布板５を配置し、その各端部の左右両側にそれぞれ設けた掛止フック６を上記つなぎ材３に掛止させることで固定する。なお、上記つなぎ材３には、その左右両側から上記布板５の掛止フック６がそれぞれ掛止されるが、その場合、これら二つの布板５の各掛止フック６同士の干渉を避けるため、該各布板５を前後方向（上記つなぎ材３の軸方向）に所定量だけ偏移させている。
【００３１】  この仮設足場Ｚの上記支柱２の内側に沿った略鉛直面と上記つなぎ材３の上面に沿った略水平面が交差するコーナ状の仮想領域に上記幅木１が設置される。
【００３２】  即ち、図２及び図３に示すように、上記幅木１を、その第１平面部１１側を上側に、上記第２平面部１２側を下側にした姿勢で、上記仮想領域に配置する。そして、上記第１平面部１１は、上記支柱２に取り付けたクランプ９の掛止杆１０と上記支柱２の間に差し入れてこれを該支柱２の前面に衝合させる。一方、上記第２平面部１２の下端（即ち、上記幅木１の側縁１ｃ）は、該第２平面部１２と上記支柱２との間に、上記つなぎ材３を挟んでその両側に配置された一対の布板５の各掛止フック６を位置させた状態で、上記布板５の側縁上に当接させる。
【００３３】  しかる後、上記支柱２に取付けたクランプ９を回動操作して、上記掛止杆１０によって上記第１平面部１１を上記支柱２側に押圧して固定保持する。なお、上記幅木１としては、上記支柱群の支柱スパーンより大きい長さの幅木１が用いられることから、該幅木１は必ず２本以上の支柱２に対応することになり、これら各支柱２においてそれぞれ上記クランプ９によって固定保持される。
【００３４】  上記幅木１の設置作業は、上記仮設足場Ｚの長さに応じて、複数回繰り返される。即ち、先行して設置された幅木１の端部に、次の幅木１の端部を所定寸法ずつ重ね合わせて設置する作業を、上記仮設足場Ｚの長さに応じた回数だけ繰り返すことで、該仮設足場Ｚ側への上記幅木１の設置作業が完了する。
【００３５】  以上のようにして上記幅木１を上記仮設足場Ｚに設置することで、以下のような特有の作用効果が得られる。
【００３６】（１）上記幅木１を、上記支柱群の少なくとも隣接する２本の支柱にまたがって配置し、上記支柱２に取付けたクランプ９によって該支柱２に引き付けて固定する構成であることから、上記幅木１の長さ寸法は支柱スパーンに制約されることなく設定することができ、より少ない種類（長さ）の幅木１を用意しておけば足り、例えば、従来のように支柱スパーンに対応させる必要がなく、それだけ経済性が向上し、延いてはより安価に幅木１を提供できる．
【００３７】（２）上記幅木１の上記第１平面部１１はこれを上記布板５の掛止フック６よりも布板中心寄りに位置させた状態で、その端面１ｂを上記布板５の上面に載置させるようにしていることから、上記掛止フック６の存在によって上記幅木１の設置が制約されることが無いことから、従来のように、上記支柱２に対応する部分においても上記幅木１の一部を切り欠くような必要が無く、したがって、上記布板５の端縁と上記幅木１との間に隙間が生じず、上記幅木１による落下防止効果が格段に向上する。
【００３８】（３）上記幅木１の上記第２平面部１２は、これを上記布板５の上記掛止フック６よりも布板中心寄りに位置させた（換言すれば、該第２平面部１２と上記支柱２の間に上記掛止フック６を位置させた）ことから、該第２平面部１２によって、上記布板５の掛止フック６が布板中心寄りに移動するのを規制され、その結果、上記布板５と幅木１の間に隙間が生じるのが未然に防止され、延いては上記幅木１による落下防止効果がさらに向上する。
【００３９】  上記幅木１が、上記第１平面部１１と第２平面部１２の間に、凸条部１３と凹条部１４を備え、該凸条部１３を上記支柱１に当接させるようにしているので、該幅木１の板厚方向への撓み変形が可及的に抑制され、該幅木１がより安定的に設置され、延いては、上記幅木１による落下防止効果がさらに向上する。
【産業上の利用可能性】
【００４０】  本願発明に係る幅木及び幅木設置構造は、建築足場分野において広く利用されるものである。
【符号の説明】
【００４１】    １  ・・幅木
２  ・・支柱
３  ・・つなぎ材
４  ・・つなぎ材
５  ・・布板
６  ・・掛止フック
７  ・・クサビ
８  ・・連結台
９  ・・クランプ
１０  ・・掛止杆
１１  ・・第１平面部
１２  ・・第２平面部
１３  ・・凸条部
１４  ・・凹条部
１５  ・・長穴